(57)【要約】【課題】温度を監視して、流量の変化又は別の要因に起因する熱変動に対処する。【解決手段】ヘアケア電気器具が、外側壁及び内側壁を有する本体と、流体入口から、内側壁によって少なくとも部分的に規定される流体出口まで延びる流体流路と、流体流路内の流体を加熱するためのヒーターと、ヒーターと流体出口との間の流体の温度を測定するためのサーミスタとを備え、サーミスタはハウジングに対して保持され、ハウジングは内側壁の一部を形成する。ハウジングは、内側壁に係合する基部を備えることができる。ハウジングはアームをさらに備え、アームはサーミスタを支持して、内側壁の半径方向内側に延びることができる。ハウジングは２本のアームを備え、サーミスタは２本のアームの間に吊り下げることができる。内側壁は、ハウジングが挿入される開口を備えることができる。【選択図】図４
2017077470.tif 000002
【特許請求の範囲】
【請求項１】
ヘアケア電気器具であって、外側壁及び内側壁を有する本体と、流体入口から、前記内側壁によって少なくとも部分的に規定される流体出口まで延びる流体流路と、前記流体流路内の流体を加熱するためのヒーターと、前記ヒーターと前記流体出口との間で流体の温度を測定するためのサーミスタとを備え、前記サーミスタは、ハウジングに対して保持され、前記ハウジングは前記内側壁の一部を形成する、ヘアケア電気器具。
【請求項２】
前記ハウジングは、前記内側壁に係合する基部を備える、請求項１に記載の電気器具。
【請求項３】
前記ハウジングはアームをさらに備え、前記アームは、前記サーミスタを支持して前記内側壁の半径方向内側に延びている、請求項２に記載の電気器具。
【請求項４】
前記ハウジングは２本のアームを備え、前記サーミスタは、前記２本のアームの間に吊り下げられる、請求項３に記載の電気器具。
【請求項５】
前記内側壁は、前記ハウジングが挿入される開口を備える、請求項１から請求項４のいずれか１項に記載の電気器具。 
【請求項６】
前記内側壁は、前記開口の周りに少なくとも部分的に延びるフランジを備える、請求項５に記載の電気器具。
【請求項７】
前記ハウジングの前記基部はリップを備え、前記ハウジングが前記内側壁に対して正確に位置決めされる場合に、前記リップは、前記基部の周りで半径方向に延びて前記フランジに係合する、請求項５又は請求項６に記載の電気器具。
【請求項８】
前記開口は停止機能を備え、前記ハウジングが前記内側壁内に正確に位置決めされる場合に、前記停止機能は、前記ハウジングに係合する、請求項５から請求項７のいずれか１項に記載の電気器具。
【請求項９】
前記停止機能は、前記開口を規定する壁部に設けられた凹部である、請求項８に記載の電気器具。
【請求項１０】
前記ハウジングは、前記ハウジングが前記内側壁内に正確に位置決めされる場合に、前記内側壁に係合する協働停止機能を備える、請求項５から請求項９のいずれか１項に記載の電気器具。
【請求項１１】
前記ハウジングの前記基部は、前記開口内へ延びるようになったストラットを備え、前記ストラットは、前記協働停止機能を備える、請求項１０に記載の電気器具。
【請求項１２】
前記協働停止機能は、前記開口内に嵌合するようになった突起を備える、請求項１０又は１１に記載の電気器具。
【請求項１３】
前記ストラットは、前記ハウジングの前記基部から延びる一対のアームの間に延在する、請求項１１に記載の電気器具。
【請求項１４】
前記サーミスタは、前記ハウジング内に延びる配線によって制御回路に電気的に接続される、請求項１から請求項１３のいずれか１項に記載の電気器具。
【請求項１５】
前記配線は、前記ハウジングからＰＣＢまで延び、前記配線は、コネクタによって前記ＰＣＢに接続される、請求項１４に記載の電気器具。
【請求項１６】
前記ヒーターは、加熱要素と、前記加熱要素の外周の周りで半径方向に延びる壁部とを備える、請求項１４又は請求項１５に記載の電気器具。
【請求項１７】
前記配線は、前記壁部の外周に沿って前記ＰＣＢまで延びている、請求項１６に記載の電気器具。
【請求項１８】
前記内側壁は一対のリップを備え、前記一対のリップは、前記流体出口から遠位の前記内側壁の端部で前記内側壁の周りに延びている、請求項１６又は請求項１７に記載の電気器具。
【請求項１９】
前記一対のリップは、前記壁部に係合するようになっている、請求項１８に記載の電気器具。
【請求項２０】
前記内側壁は、前記配線を収容するための少なくとも１つの溝を備え、前記少なくとも１つの溝は、前記流体出口から遠位の前記内側壁の端部から延びている、請求項１９に記載の電気器具。
【請求項２１】
前記少なくとも１つの溝は前記内側壁の開口から延び、前記開口は前記ハウジングを前記内側壁内に保持する、請求項２０に記載の電気器具。
【請求項２２】
前記ＰＣＢは前記本体内に収納され、前記ＰＣＢと前記ヒーターとの間にバッフルが設けられている、請求項１５から請求項２０のいずれか１項に記載の電気器具。
【請求項２３】
前記バッフルは、その表面に沿って前記配線を案内するための溝を備える、請求項２２に記載の電気器具。
【請求項２４】
前記バッフルは、前記配線を前記溝内に保持するための保持クリップを備える、請求項２３に記載の電気器具。
【請求項２５】
前記保持クリップは、少なくとも部分的に前記溝を横切って延びている、請求項２４に記載の電気器具。
【請求項２６】
前記電気器具はヘアドライヤである、請求項１から請求項２５のいずれか１項に記載の電気器具。
【発明の詳細な説明】
【技術分野】
【０００１】
本発明は、手持ち式電気器具に、特にヘアドライヤ等のヘアケア電気器具に関する。
【背景技術】
【０００２】
一般に、本体に流体を引き込むモータ及びファンを備えており、流体は、本体から流出する前に加熱することができる。モータは、汚れ又は毛髪のような異物により損傷し易く、従来から、ブロワへの流体取入口にフィルタが設けられる。ファン及びヒーターは機能するための動力が必要であり、動力は、主電源ケーブル又は電気器具に取り付けられたバッテリのどちらか一方から内部配線を介して供給される。
【０００３】
従来のヘアドライヤは、該ヘアドライヤから流出する流体の流量及び温度の１又は２以上を変更することができる制御ボタンを有する。しかしながら、流量が増加すると、通常、ヘアドライヤから流出する流体の温度が低下する（ユーザが知覚できる）。
【０００４】
また、ヘアドライヤから流出す流体の温度は他の要因の影響を受ける。ある種の電気的故障が存在する可能性があり、もしくは、埃及び汚れが加熱要素に入る可能性があり、これは堆積すると燃えてヘアドライヤから流出する流体の温度上昇を引き起こす場合がある。当然、過度の温度上昇を防止するために温度ヒューズ又はバイメタルストリップ等の温度カットアウトの形態の熱保護手段が設けられるが、当該保護手段は、ヘアドライヤを一時的に又は永久的に動作不能にする。
【発明の概要】
【発明が解決しようとする課題】
【０００５】
温度を監視して、流量の変化又は別の要因に起因する熱変動に対処することが望ましい。これは、流量が変化した際の温度変化が最小になるので、良好なユーザ体験をもたらす。また、設定流量の変化を伴わない温度上昇は、起こり得る後続の問題を明らかにすると共に、ヘアドライヤが短期間の間だけでも動作不能になるのを防止するために利用することができる。
【課題を解決するための手段】
【０００６】
第１の態様によれば、本発明はヘアケア電気器具を提供し、ヘアケア電気器具は、外側壁及び内側壁を有する本体と、流体入口から内側壁によって少なくとも部分的に規定される流体出口まで延びる流体流路と、流体流路内の流体を加熱するためのヒーターと、ヒーターと流体出口との間で流体の温度を測定するためのサーミスタとを備え、サーミスタはハウジングに対して保持され、ハウジングは内側壁の一部を形成する。
【０００７】
ヒーターの下流にサーミスタを設けることで、ヒーター内に設けることに比べて、サーミスタがヒーターの内部温度ではなく出口温度を測定するので好都合である。従って、例えば汚れ及び埃の蓄積に起因してヒーター内に高温点が生じる場合、高温点はサーミスタの上流に位置する場合にのみ測定されるので、ヒーター全体が監視されない。
【０００８】
好ましくは、ハウジングは、内側壁に係合する基部を備える。
【０００９】
ハウジングはアームをさらに備え、アームは、サーミスタを支持して内側壁の半径方向内側に延びることが好ましい。
【００１０】
好ましくは、ハウジングは２本のアームを備え、サーミスタは２本のアームの間に吊り下げられる。吊り下げることで、サーミスタは流体流れによって取り囲まれるので、流体流れから隔離又は遮蔽されることがなく、従って、実際の温度をより正確に測定することができる。
【００１１】
内側壁は、ハウジングが挿入される開口を備えることが好ましい。この特徴は多くの理由で好都合であり、例えば、製造が単純になり、サーミスタの位置決めの再現性が保証される。
【００１２】
好ましくは、内側壁は、少なくとも部分的に開口の周りに延びるフランジを備える。
【００１３】
ハウジングの基部はリップを備え、ハウジングが内側壁に対して正確に位置決めされる場合に、リップは、基部の周りで半径方向に延びてフランジに係合する。これは、サーミスタが加熱された流れの中で半径方向に正確かつ繰り返して位置決めされることを意味する。
【００１４】
好ましくは、開口は停止機能を備え、ハウジングが内側壁内に正確に位置決めされる場合に、停止機能はハウジングに係合する。
【００１５】
停止機能は、開口を規定する壁部に設けられた凹部であることが好ましい。
【００１６】
好ましくは、ハウジングは、該ハウジングが内側壁内に正確に位置決めされる場合に、内側壁に係合する協働停止機能を備えることが好ましい。
【００１７】
ハウジングの基部は、開口内へ延在するようになったストラットを備え、ストラットは協働停止機能を備えることが好ましい。
【００１８】
好ましくは、協働停止機能は、開口内に嵌合するようになった突起を備える。
【００１９】
ストラットは、ハウジングの基部から延びる一対のアームの間に延びることが好ましい。
【００２０】
好ましくは、サーミスタは、ハウジング内に延びる配線によって制御回路に電気的に接続される。
【００２１】
配線は、ハウジングからＰＣＢ（プリント基板）まで延び、配線は、コネクタを介してＰＣＢに接続されることが好ましい。
【００２２】
好ましくは、ヒーターは、加熱要素と、加熱要素の外周の周りで半径方向に延びる壁部とを備えることが好ましい。この壁部は、マイカ等の絶縁材から作ることが好ましい。
【００２３】
配線は、壁部の外周に沿ってＰＣＢまで延びることが好ましい。この壁部は配線を熱的に絶縁する。
【００２４】
好ましくは、内側壁は一対のリップを備え、一対のリップは、流体出口から遠位の内側壁の端部で内側壁の周りに延びる。
【００２５】
一対のリップは、壁部に係合するようになっていることが好ましい。
【００２６】
好ましくは、内側壁は、配線を収容するために少なくとも１つの溝を備え、少なくとも１つの溝は、流体出口から遠位の内側壁の端部から延びる。これにより、配線は繰り返し可能でかつ既知の位置に配置され、配線は内側壁の中に配置することができ、製造及び組立時のある程度の保護がもたらされ、空間の節約が可能になる。
【００２７】
少なくとも１つの溝は内側壁の開口から延びることが好ましく、開口はハウジングを内側壁内に保持する。
【００２８】
好ましくは、ＰＣＢは本体内に収納され、ＰＣＢとヒーターとの間にバッフルが設けられる。
【００２９】
バッフルは、その表面に沿って配線を案内するための溝を備えることが好ましい。これにより、配線は繰り返し可能でかつ既知の位置に配置され、配線は内側壁の中に配置することができ、製造及び組立時のある程度の保護がもたらされ、空間の節約が可能になる。
【００３０】
好ましくは、バッフルは、配線を溝内に保持するために保持クリップを備える。
【００３１】
保持クリップは、チャネルを少なくとも部分的に横切って延びることが好ましい。
【００３２】
好ましくは、電気器具はヘアドライヤである。
【００３３】
本発明は、単に例示目的で添付図面を参照しながら説明される。
【図面の簡単な説明】
【００３４】
【図１】本発明によるサーミスタを使用できるヘアドライヤを示す。
【図２】図１のヘアドライヤの断面図である。
【図３】本発明によるサーミスタの等角図である。
【図４】ヒーター組立体に対して本体の位置にある図３のサーミスタの前方等角図である。
【図５】ヘアドライヤ本体の内部構造に対して本来の位置にある図３のサーミスタの前方等角図である。
【図６ａ】図１のヘアドライヤの本体の内側壁の部分断面図である。
【図６ｂ】本来の位置にサーミスタを示す内側壁の部分断面図である。
【発明を実施するための形態】
【００３５】
図１及び図２は、本発明によるサーミスタと共に使用するのに適したハンドル２０及び本体３０を備えるヘアドライヤ１０の実施例を示す。ハンドルは、本体３０に結合した第１の端部２２と、本体３０から遠位の主流体入口４０を含む第２の端部２４とを有する。動力は、ケーブル５０を介してヘアドライヤ１０に供給される。ケーブル５０のヘアドライヤ１０から遠位の端部にはプラグ（図示せず）が設けられており、プラグは、例えば主電源又はバッテリパックに対する電気接続を可能にする。
【００３６】
ハンドル２０は、本体３０からハンドルの遠位端２４へ延びる外側壁２００を有する。ハンドルの遠位端２４において端壁２１０が外側壁２００を横切って延びている。ケーブル５０は、この端壁２１０を通ってヘアドライヤに入る。ハンドル２０の主流体入口４０は、第１の開口４２及び第２の開口４６を含み、第１の開口４２は、ハンドル２０の遠位端２４から延びる一連の行及び／又は列でハンドルの外側壁２００の周りでこれに沿って延び、第２の開口４６は、ハンドル２０の端壁２１０を横切りかつ貫通して延びる。第１の開口及び第２開口は、主流体入口用の最初のフィルタを形成して毛髪及び他の異物が入るのを阻止するのを助ける。理想的には、より微細な第２のフィルタ４４を備える。ケーブル５０は、端壁２１０のほぼ中央に位置するのでハンドル２０の中心から延びる。ハンドル２０は長手方向軸線Ｘ−Ｘを有し、外側壁２００は、この軸線Ｘ−Ｘに沿って本体３０から遠位端２４に向かって延びている。
【００３７】
主流体入口４０の上流にはファンユニット７０が設けられる。ファンユニット７０はファン及びモータを含む。ファンユニット７０は、主流体入口４０から流体を引き込み、流体は、主流体入口４０から本体３０へ延びた主流体流路４００を通って本体３０に向かい、ハンドル２０と本体３０との結合部９０で本体３０に入る。本体３０は、第１の端部３２及び第２の端部３４を有し、主流体流路４００は、本体３０を通って本体の第２の端部３４へ向かい、ヒーター８０を回って、主流体出口４４０へ至るように続き、ファンユニットによって引き込まれた流体は、主流体出口４４０において主流体流路４００から出る。主流体流路４００は、非直線状であり、ハンドル２０を第１の方向に通過し、第１の方向に対して直交する第２の方向で本体３０を通過する。
【００３８】
本体３０は、外側壁３６０及び内側ダクト３１０を含む。主流体流路４００は、ハンドル２０及び本体３０の結合部９０からの本体に沿って外側壁３６０とダクト３１０との間を延び、本体３０の第２の端部３４の主流体出口４４０へ向かう。
【００３９】
内側壁２６０は外側壁３６０の中を延びる。内側壁２６０は、少なくとも部分的に主流体出口４４０を定め、内側ダクト３１０と外側壁３６０との間で本体３０の第２の端部３４から延びる。
【００４０】
本体内には別の流体流路が設けられており、この流れは、ファンユニット又はヒーターによって直接処理されず、ヘアドライヤを通る主流れを生成するファンユニットの作用によってヘアドライヤ内へ引き込まれる。この流体流れは、主流体流路４００を通過する流体によってヘアドライヤ内へ取り込まれる。
【００４１】
本体の第１の端部３２は流体入口３２０を含み、本体の第２の端部３４は流体出口３４０を含む。流体入口３２０及び流体出口３４０の両方は、少なくとも部分的に、本体３０の内側壁でありかつ本体内でこれに沿って延びる内側ダクト３１０によって規定される。流体流路３００は、内側ダクト３１０の内部で、流体入口３２０から流体出口３４０へ延びる。本体３０の第１の端部３２において、側壁３５０は、管状部分３１２と外側壁３６０との間に延びる。この側壁３５０は、少なくとも部分的に流体入口３２０を定める。主流体出口４４０は環状であり、流体流路を取り囲む。
【００４２】
ヘアドライヤ用制御電子機器を含むＰＣＢ７５は、本体３０内で側壁３５０及び流体入口３２０の近くに配置される。ＰＣＢ７５は、リング形状であり、内側ダクト３１０と外側壁３６０との間で内側ダクト３１０の周りに延びている。ＰＣＢ７５は主流体流路４００と流体連通する。ＰＣＢ７５は、流体流路３００の周りに延び、内側ダクト３１０によって流体流路３００から分離される。
【００４３】
ＰＣＢ７５は、ヒーター８０の温度及びファンユニット７０の回転速度等のパラメータを制御する。内部配線（図示せず）によって、ＰＣＢ７５は、ヒーター８０、ファンユニット７０、及びケーブル５０に電気的に接続される。ＰＣＢ７５に接続される制御ボタン６２、６４が設けられており、ユーザは、例えば様々な温度設定値及び流量を選択できる。
【００４４】
ＰＣＢ７５の下流にはヒーター８０があり、ＰＣＢ７５とヒーター８０との間にはＰＣＢバッフル７００が設けられている。ＰＣＢバッフルは、特に、ヒーター８０がオンになった場合にＰＣＢ７５に対する熱保護を可能にする。
【００４５】
使用時、流体は、ファンユニット７０の作用によって主流体流路４００内に引き込まれ、随意的にヒーター８０によって加熱され、主流体出口４４０から流出する。この処理された流れ（以下、処理流と呼ぶ）により、流体が流体入口３２０で流体流路３００内に取り込まれる。流体は、本体３０の第２の端部３４において処理流と合流する。図２に示す実施例において、処理流は、環状流として主流体出口４４０及びヘヤードライヤから流出し、環状流は、流体出口３４０を通ってヘヤードライヤから流出する同伴流を取り囲む。従って、ファンユニット及びヒーターによって処理された流体は、同伴流によって増強される。
【００４６】
図４は、壁部１８０を有するヒーター８０を示し、壁部１８０は、加熱要素８２を取り囲みかつ加熱要素８２の外周の周りに延びで、ヘアドライヤ１０の本体３０の外側壁３６０に対する何らかの熱保護を可能にする。加熱要素８２は、骨格部（ｓｃａｆｆｏｌｄ）で支持され、骨格部は、内側管体８４と、内側管体８４と、該内側管体８４と壁部１８０との間で半径方向に延びてその周りに加熱要素８２が巻回された複数の支持ストラット８６とから構成される。
【００４７】
ヘアドライヤ１０の流体入口４０又は流体出口４４０の何れかが封鎖された場合、加熱要素８２は過熱することがあり、その理由は、加熱要素８２上の流体流れが制限されるかも知れないためである。これを防ぐために、多くの安全機能が設けられる。
ヘアドライヤ１０の流体入口４０又は流体出口４４０の何れかが閉塞された場合、加熱要素８２上の流体流れが制限されることになるので、加熱要素８２は過熱する可能性がある。これを防止するために、多くの安全機能が設けられている。
【００４８】
次に、図３、図４に、図５、図６ａ及び図６ｂを参照すると、サーミスタ２２０は、ハウジング２３０に対して保持される。ハウジング２３０は、基部２３２と、基部２３２から延びる２つのアーム２３４及び２３６とを有する。サーミスタ２２０は、各端部が２つのアーム２３４、２３６の一方によって支持される。サーミスタをヒーター制御回路（図示せず）に接続する電気配線２２２は、２つのアーム２３４、２３６を通り、基部２３２から外へ出て、ＰＣＢ７５に接続するコネクタ２２４へ至るように経路指定される。
【００４９】
サーミスタ２２０が内側壁２６０に対して確実に位置決めされるように、ハウジング２３０は、内側壁２６０の一部を形成する。ハウジング２３０及び内側壁２６０は、正しい位置に到達したことを示す協働特徴部を備える。内側壁２６０は開口２７０を有し、ハウジング２３０はその中に挿入される。開口２７０は、凹部２７６を有する壁部２７４によって規定される。開口２７０の外面は、本実施例では開口２７０の三辺の周りに延びるフランジ２７２によって規定される。
【００５０】
基部２３０は、本実施例では三辺の周りに延びるリップ２４２によって規定される。リップ２４２は、フランジ２７２に係合するように設計される。開口２７０の第４の辺は、フランジ２７２から直角に延びる壁部２７８によって規定されるので、ハウジング２３０は、開口２７０に対して一方向にのみ挿入できる。
【００５１】
ハウジング２３０は、２つのアーム２３４及び２３６の間の基部２３２から延在するストラット２３８を含む。このストラット２３８は停止機能を含み、この場合は突起２４０である。突起２４０は、ハウジング２３０が内側壁２６０に対して正確に配置される場合に、開口２７０の壁部２７４に設けられた凹部２７６に係合するように位置決めされる。
【００５２】
サーミスタ２２０は、温度と共に変化する抵抗を有しており、ヒーター８０の実際の出口温度をフィードバックするために使用される。ユーザが選択した温度レベル及び電力レベルに加えて、フィルタの状態すなわちフィルタの汚れ具合等の他の要因は、ヒーター８０の下流の実際の温度に影響を及ぼすことになる。サーミスタ２２０は、ヒーター８０から流出する流体流路の中に配置されて、流体流路の中に吊り下げられる。これは、サーミスタ２２０がヒーター構造の一部によって遮蔽されず、流れ過ぎる流体に露出するので好都合である。
【００５３】
サーミスタ２２０が、流体流路４００の内部でヒーター８０に対して正確かつ繰り返しで位置決めできるように、内側壁２６０はヒーター８０に係合する。内側壁２６０は、ヒーター８０に向かって延びる一対のリップ２６２、２６４を有し、その内部にヒーター８０の外側壁１８０が挿入される。内側壁２６０の半径方向内面２６０ａは、ヒーター８０から流出する流体を流体出口４４０に案内する。
【００５４】
半径方向外側リップ２６２は、壁部１８０の外面１８０ａに広がり、配線２２２を収容するため一対の凹部又は切欠き２６６、２６８を含む。一対の凹部又は切欠き２６６、２６８の下流において、内側壁２６０には開口２７０が設けられる。
【００５５】
従って、ハウジング２３０は、内側壁２６０に対して正確に位置決めされ、内側壁２６０は、ヒーター８０に対して繰り返して位置決めされ、サーミスタ２２０は、ヒーター８０の下流を流れる流体の温度を測定するために流体流路４００内部で正確に位置決めすることができる。
【００５６】
配線２２２は、弾性クリップ７２０を用いてＰＣＢバッフル７００に追加的に支持されるが、弾性クリップ７２０は、ＰＣＢバッフル７００の下流端に配置された凹部７２２上に延びる。配線２２２は、押し込まれて、弾性クリップ７２０を通過して下方で凹部７２２に入り、押し戻されない限り凹部に留まる。
【００５７】
内側壁２６０の一対の凹部又は切欠き２６６、２６８は、配線２２２のための溝を提供し、配線２２２は、ヒーター８０の外側壁１８０からサーミスタ２２０のためのハウジング２３０に進む際に、少なくとも部分的にこの溝内に配置される。これにより、ワイヤを収容するのに必要な空間量が低減し、ヒーターをヘアドライヤに組み込む際の何らかの保護を可能にする。
【００５８】
本発明は、ヘアドライヤに関して詳細に説明したが、本発明は、流体を電気器具の中に引き込みかつその流体の流出物を電気器具から移動させる、あらゆる電気器具に適用可能である。
【００５９】
電気器具を通過する流体は、一般には空気であるが、異なる複数の気体の組み合わせ又は単一の気体とすることができ、さらに、電気器具の性能又は対象物への電気器具の影響を改善する添加剤を含むことができ、生成物は、例えば毛髪及びその毛髪の整髪用に送られる。
【００６０】
本発明は、前述した詳細な説明に限定されない。当業者には変形例が明らかである。特に、ヒーターは、台形でありかつ十字に形成されたフレームの周りに巻回された従来式ヒーターとすることができる。
【符号の説明】
【００６１】
１０  ヘアドライヤ
２０  ハンドル
３０  本体
４０  流体入口
８０  ヒーター
８２  加熱要素
８４  内側管体
１８０  壁部
２２０  サーミスタ
２３０  ハウジング
２３２  基部
２３４  アーム
２３６  アーム
２６０  内側壁
３６０  外側壁
４００  流体流路
４４０  流体出口
【図１】
2017077470.tif 000003
【図２】
2017077470.tif 000004
【図３】
2017077470.tif 000005
【図４】
2017077470.tif 000006
【図５】
2017077470.tif 000007
【図６ａ】
2017077470.tif 000008
【図６ｂ】
2017077470.tif 000009